(57)【要約】【課題】肌触りと吸湿性が優れた面ファスナ雌面用編地と、面ファスナを締結用に用い、その雌面を設ける部位が制約されず、肌触りと吸湿性が優れたたサポータを提供することである。【解決手段】締結用の面ファスナの雌面３を、芯糸５ａにカバリング糸５ｂを巻きつけたカバードヤーンを編み糸５としてパイル編みした面ファスナ雌面用編地で形成し、芯糸５ａに合成繊維のフィラメント糸を用い、カバリング糸５ｂに綿糸を用いることにより、綿糸の肌触りと吸湿性の良さを生かして、面ファスナの雌面３を肌触りと吸湿性が優れたものとし、サポータの任意の部位に雌面３を設けることができるようにした。【選択図】図２
2005279046.tif 000002
【特許請求の範囲】
【請求項１】
編み糸をパイル編みして表面に多数のループを形成した面ファスナ雌面用編地において、前記編み糸を芯糸にカバリング糸を巻きつけたカバードヤーンとし、前記芯糸とカバリング糸のいずれか一方に綿糸を用い、他方に合成繊維のフィラメント糸を用いたことを特徴とする面ファスナ雌面用編地。
【請求項２】
前記芯糸に合成繊維のフィラメント糸を用い、前記カバリング糸に綿糸を用いた請求項１に記載の面ファスナ雌面用編地。
【請求項３】
身体の一部に巻き付け、表面に多数のループを形成した面ファスナの雌面と、表面に多数のマッシュルーム状突起またはフックを形成した面ファスナの雄面との係合で締結して装着するサポータにおいて、前記面ファスナの雌面を、芯糸にカバリング糸を巻きつけたカバードヤーンを編み糸としてパイル編みした面ファスナ雌面用編地で形成し、前記芯糸とカバリング糸のいずれか一方に綿糸を用い、他方に合成繊維のフィラメント糸を用いたことを特徴とするサポータ。
【請求項４】
前記面ファスナの雌面を巻き付け内側面に、前記面ファスナの雄面を巻き付け外側面に設けた請求項３に記載のサポータ。
【発明の詳細な説明】
【技術分野】
【０００１】
本発明は、面ファスナ雌面用編地と面ファスナを締結用に用いたサポータに関するものである。
【背景技術】
【０００２】
締結用等に用いられる面ファスナは、表面に多数のマッシュルーム状突起またはフックを形成した雄面と、表面に多数のループを形成した雌面とを係合させて面接着するようになっており、雄面のマッシュルーム状突起やフックが引っ掛かりやすいように、雌面のループは合成繊維を多数本撚り合わせたフィラメント糸で形成されている。
【０００３】
また、医療用やスポーツ用等に用いられるサポータには、身体の一部に巻き付け、面ファスナで締結して装着するタイプのものがある。この種のサポータでは、通常、締結位置を調節できるように、面ファスナの雌面の方が雄面よりも広い面積に設けられ、雄面からはみ出す雌面が皮膚に当たらないように、雌面が巻き付け外側面に設けられ、雄面が内側面に設けられている（例えば、特許文献１参照。）。特許文献１に記載されたものでは、雌面を外側面全面に設けている。
【０００４】
前記面ファスナの雌面が皮膚に当たらないようにするのは、マッシュルーム状突起やフックが形成された雄面は勿論肌触りが悪いが、雌面もループが合成繊維のフィラメント糸で形成されているので、あまり肌触りが良くなく、汗等に対する吸湿性も良くないからである。
【０００５】
【特許文献１】登録実用新案公報第３０１７３８８号（第４−５頁、第１−２図）
【発明の開示】
【発明が解決しようとする課題】
【０００６】
上述したサポータ等のように面ファスナを設けて身体に装着するものは、装着時に雄面からはみ出し、肌触りや吸湿性の良くない雌面が皮膚に当たらないようにするのに、雌面を設ける部位が制約される問題がある。
【０００７】
また、特許文献１に記載されたサポータのように、身体の一部に巻き付け、巻き付け外側面に設けた面ファスナの雌面と内側面に設けた雄面との係合で締結して装着するものでは、締結位置によっては面ファスナの雄面が雌面の端からはみ出すことがあり、雌面よりもさらに肌触りの悪い雄面が皮膚に当たる恐れもある。
【０００８】
そこで、本発明の課題は、肌触りと吸湿性が優れた面ファスナ雌面用編地と、面ファスナを締結用に用い、その雌面を設ける部位が制約されず、肌触りと吸湿性が優れたたサポータを提供することである。
【課題を解決するための手段】
【０００９】
上記の課題を解決するために、本発明の面ファスナ雌面用編地は、編み糸をパイル編みして表面に多数のループを形成した面ファスナ雌面用編地において、前記編み糸を芯糸にカバリング糸を巻きつけたカバードヤーンとし、前記芯糸とカバリング糸のいずれか一方に綿糸を用い、他方に合成繊維のフィラメント糸を用いた構成を採用した。
【００１０】
すなわち、編み糸を芯糸にカバリング糸を巻きつけたカバードヤーンとし、芯糸とカバリング糸のいずれか一方に綿糸を用い、他方に合成繊維のフィラメント糸を用いることにより、綿糸の肌触りと吸湿性の良さを生かして、面ファスナ雌面用編地を肌触りと吸湿性が優れたものとした。なお、芯糸とカバリング糸のいずれか一方に合成繊維のフィラメント糸を用いたのは、面ファスナの雄面との係合性を確保するためである。
【００１１】
前記芯糸に合成繊維のフィラメント糸を用い、前記カバリング糸に綿糸を用いることにより、肌触りと吸湿性をさらに良くし、かつ、面ファスナの雄面との脱着の繰り返しに伴うフィラメント糸のけば立ちを防止することができる。
【００１２】
また、本発明のサポータは、身体の一部に巻き付け、表面に多数のループを形成した面ファスナの雌面と、表面に多数のマッシュルーム状突起またはフックを形成した面ファスナの雄面との係合で締結して装着するサポータにおいて、前記面ファスナの雌面を、芯糸にカバリング糸を巻きつけたカバードヤーンを編み糸としてパイル編みした面ファスナ雌面用編地で形成し、前記芯糸とカバリング糸のいずれか一方に綿糸を用い、他方に合成繊維のフィラメント糸を用いた構成を採用した。
【００１３】
すなわち、締結用の面ファスナの雌面を、芯糸にカバリング糸を巻きつけたカバードヤーンを編み糸としてパイル編みした面ファスナ雌面用編地で形成し、芯糸とカバリング糸のいずれか一方に綿糸を用い、他方に合成繊維のフィラメント糸を用いることにより、綿糸の肌触りと吸湿性の良さを生かして、面ファスナの雌面を肌触りと吸湿性が優れたものとし、サポータの任意の部位に雌面を設けることができるようにした。
【００１４】
前記面ファスナの雌面を巻き付け内側面に、前記面ファスナの雄面を巻き付け外側面に設けることにより、非常に肌触りの悪い面ファスナの雄面が皮膚に当たるのを防止することができる。
【発明の効果】
【００１５】
本発明の面ファスナ雌面用編地は、編み糸を芯糸にカバリング糸を巻きつけたカバードヤーンとし、芯糸とカバリング糸のいずれか一方に綿糸を用い、他方に合成繊維のフィラメント糸を用いるようにしたので、綿糸の肌触りと吸湿性の良さを生かして、肌触りと吸湿性が優れたものとすることができる。
【００１６】
前記芯糸に合成繊維のフィラメント糸を用い、カバリング糸に綿糸を用いることにより、肌触りと吸湿性をさらに良くし、かつ、面ファスナの雄面との脱着の繰り返しに伴うフィラメント糸のけば立ちを防止することができる。
【００１７】
本発明のサポータは、締結用の面ファスナの雌面を、芯糸にカバリング糸を巻きつけたカバードヤーンを編み糸としてパイル編みした面ファスナ雌面用編地で形成し、芯糸とカバリング糸のいずれか一方に綿糸を用い、他方に合成繊維のフィラメント糸を用いるようにしたので、綿糸の肌触りと吸湿性の良さを生かして、面ファスナの雌面を肌触りと吸湿性が優れたものとし、任意の部位に雌面を設けることができる。
【００１８】
前記面ファスナの雌面を巻き付け内側面に、面ファスナの雄面を巻き付け外側面に設けることにより、非常に肌触りの悪い面ファスナの雄面が皮膚に当たるのを防止することができる。
【発明を実施するための最良の形態】
【００１９】
以下、図面に基づき、本発明の実施形態を説明する。図１および図２は、本発明に係るサポータを示す。このサポータ１は、図１に示すように、腕や脚等の身体の一部に巻き付けて装着する帯状のものであり、帯状のベース生地２の巻き付け内側面全面に面ファスナの雌面３が設けられ、外側面の一端に面ファスナの雄面４が設けられて、これらの係合で両端部を締結して装着されるようになっている。なお、ベース生地２には弾性糸を編み込んで伸縮性を持たせている。
【００２０】
前記雌面３は、図２（ａ）に示すように、編み糸５をパイル編みして表面に多数のループ６を形成した面ファスナ雌面用編地で形成され、編み糸５は、図２（ｂ）に示すように、芯糸５ａに合成繊維のフィラメント糸を、カバリング糸５ｂに綿糸を用いたカバードヤーンとされている。図示は省略するが、面ファスナの雄面４には、表面に多数のフックを形成したものが使用されている。
【００２１】
上述した実施形態では、サポータを帯状のものとし、その巻き付け内側面全面に面ファスナの雌面を設け、この雌面を本発明に係る面ファスナ雌面用編地で形成したが、サポータの形状と面ファスナの雌面を設ける部位は実施形態のものに限定されることはなく、使用用途に応じて任意に設計することができる。
【００２２】
また、上述した実施形態では、面ファスナ雌面用編地の編み糸を、芯糸に合成繊維のフィラメント糸を、カバリング糸に綿糸を用いたカバードヤーンとしたが、逆に、芯糸に綿糸を、カバリング糸に合成繊維のフィラメント糸を用いたカバードヤーンとしてもよい。
【００２３】
さらに、本発明に係る面ファスナ雌面用編地の用途は、実施形態のようなサポータの面ファスナに限定されることはなく、どのような面ファスナであっても、肌触りや吸湿性を必要とする品物に使用されるものに好適である。
【図面の簡単な説明】
【００２４】
【図１】サポータの実施形態を示す一部切欠き斜視図
【図２】ａは図１の面ファスナの雌面を示す側面図、ｂはａの編み糸を拡大して示す側面図
【符号の説明】
【００２５】
１  サポータ
２  ベース生地
３  雌面
４  雄面
５  編み糸
５ａ  芯糸
５ｂ  カバリング糸
６  ループ
【図１】
2005279046.tif 000003
【図２】
2005279046.tif 000004